(57)【要約】【課題】自動料金収受システムを利用する場合において、一台のＥＴＣ車載器で複数のＥＴＣカードを使用したときに、ＥＴＣカード毎の利用履歴を照会することのできる「ＥＴＣ利用履歴照会装置」を提供することを目的とする。【解決手段】ＥＴＣ利用履歴照会装置は、表示手段と、複数のＥＴＣカードの利用履歴をＥＴＣカード毎の識別情報とともに格納する記憶手段と、情報入力手段と、制御手段とを有する。制御手段は、情報入力手段の指示に従ってＥＴＣ車載器で使用された複数のＥＴＣカードの一覧を表示手段の画面に表示し、さらに情報入力手段から複数のＥＴＣカードの一覧のうち特定のＥＴＣカードの利用履歴を表示する指示がされたとき、記憶手段に格納されたＥＴＣカードの識別情報及び利用履歴を参照して、特定のＥＴＣカードの利用履歴を表示手段の画面に表示させる。【選択図】図４
2008033402.tif 000002
【特許請求の範囲】
【請求項１】
自動料金収受装置とＥＴＣ車載器との間で情報を送受信する自動料金収受システムにおけるＥＴＣ利用履歴照会装置であって、
画面上でＥＴＣカードの利用履歴を提供する表示手段と、
複数のＥＴＣカードの利用履歴をＥＴＣカード毎の識別情報とともに格納する記憶手段と、
情報入力手段と、
前記表示手段、記憶手段、ＥＴＣ車載器及び情報入力手段を制御する制御手段とを有し、
前記制御手段は、前記情報入力手段の指示に従って前記ＥＴＣ車載器で使用された複数のＥＴＣカードの一覧を前記表示手段の画面に表示し、さらに前記情報入力手段から前記複数のＥＴＣカードの一覧のうち特定のＥＴＣカードの利用履歴を表示する指示がされたとき、前記記憶手段に格納された前記ＥＴＣカードの識別情報及び前記利用履歴を参照して、前記特定のＥＴＣカードの利用履歴を前記表示手段の画面に表示させることを特徴とするＥＴＣ利用履歴照会装置。
【請求項２】
前記制御手段は、前記情報入力手段から前記複数のＥＴＣカードの一覧のうち特定のＥＴＣカードの利用履歴を表示する指示がされたとき、当該ＥＴＣカードが利用された日付及び支払い料金の一覧を前記表示手段の画面に表示させることを特徴とする請求項１に記載のＥＴＣ利用履歴照会装置。
【請求項３】
前記制御手段は、前記情報入力手段から前記特定のＥＴＣカードが利用された日付及び支払い料金の一覧のうち特定の日付の利用履歴を表示する指示がされたとき、当該ＥＴＣカードが利用された施設名、支払い料金及び利用内容を前記表示手段の画面に表示させることを特徴とする請求項２に記載のＥＴＣ利用履歴照会装置。
【請求項４】
ＥＴＣ車載器と、表示手段と、複数のＥＴＣカードの利用履歴をＥＴＣカード毎の識別情報とともに格納する記憶手段と、情報入力手段と、前記ＥＴＣ車載器、表示手段、記憶手段及び情報入力手段を制御する制御手段とを有するＥＴＣ利用履歴照会装置において、
前記情報入力手段からＥＴＣカードの利用履歴を表示する指示がされたとき、前記ＥＴＣ車載器で使用された複数のＥＴＣカードの一覧を前記表示手段の画面に表示し、
前記情報入力手段から前記複数のＥＴＣカードの一覧のうち特定のＥＴＣカードの利用履歴を表示する指示がされたとき、前記記憶手段に格納された前記ＥＴＣカードの識別情報及び前記利用履歴を参照して、当該ＥＴＣカードが利用された日付及び支払い料金の一覧を前記表示手段の画面に表示し、
前記情報入力手段から前記ＥＴＣカードが利用された日付及び支払い料金の一覧のうち特定の日付の利用履歴を表示する指示がされたとき、前記記憶手段に格納された前記ＥＴＣカードの識別情報及び前記利用履歴を参照して、当該ＥＴＣカードが利用された施設名、支払い料金及び利用内容を前記表示手段の画面に表示する
ことを特徴とするＥＴＣ利用履歴表示方法。
【発明の詳細な説明】
【技術分野】
【０００１】
本発明は、自動料金収受装置とＥＴＣ車載器との間で情報を送受信する自動料金収受システムを利用したときの利用履歴を照会するＥＴＣ利用履歴照会装置に関する。
【背景技術】
【０００２】
近年、有料道路の料金所において車両を停止させることなく料金を徴収する自動料金収受（Electronic Toll Collection：ＥＴＣ）システムが開発されている。このＥＴＣシステムは、料金所のＥＴＣ機器を設置したゲート（以下、「ＥＴＣゲート」と呼ぶ）よりも規定距離だけ手前の路肩に設けられたアンテナ（以下、「道路側アンテナ」と呼ぶ）と車両側に設けられたＥＴＣ車載器間で行う交信（データの授受）に基づいて、ＥＴＣ車載器の表示装置に、ＥＴＣゲートを通るために複数あるレーンのうちのどのレーンを走行すればよいか等の必要な経路誘導情報を表示するものである。
【０００３】
また、ＥＴＣシステムは、ＥＴＣカードと呼ばれるＩＣ(Integrated Circuit)カードを使用し、道路側アンテナとＥＴＣ車載器との間で無線通信により料金情報がやりとりされ、料金支払いが自動的に行われる。
【０００４】
ＥＴＣカードの利用履歴は、ユーザ毎に有料道路事業者によって集計され、道路料金情報として処理される。この情報は、ＥＴＣカードを発行するクレジットカード会社に引き渡され、ユーザの代行としてクレジットカード会社が有料道路事業者に道路料金を支払い、後日クレジットカード会社からユーザに道路料金が請求される。
【０００５】
このようなＥＴＣを利用した履歴情報を確認する技術として、特許文献１には、ＥＴＣ車載器とナビゲーションシステムとを組み合わせて、ＥＴＣ車載器により得られた料金情報に自動的に入口／出口の料金所名称を付加するようにした料金履歴照会システムが開示されている。
【０００６】
また、特許文献２には、ＥＴＣサービスを受けた自動車の課金の利用履歴を、携帯端末を利用して表示するシステムが開示されている。
【特許文献１】特開２０００−３４８２２４号公報
【特許文献２】特開２００４−３８７２６号公報
【発明の開示】
【発明が解決しようとする課題】
【０００７】
上記したように、自動料金収受システムの利用によってユーザの利便性が向上してきている。また、近年は、ＥＴＣを有料道路の料金収受だけでなく、他の自動車利用時の料金収受にも利用されている。例えば、料金支払いの際に使用されるＥＴＣカードは、カードに内蔵されたＩＣ中にＥＴＣ以外のアプリケーション領域を設け、ドライブスルーや駐車場等の料金支払いシステムへの使用も可能になり、ユーザの利便性が向上している。
【０００８】
このように自動料金収受システムの利用範囲が広がるに従って、ＥＴＣカードも普及し、１台のＥＴＣ車載器について、複数のＥＴＣカードが利用されるケースが増えてきている。例えば、複数人で旅行するときに１枚のＥＴＣカードだけでなく、複数のＥＴＣカードが使用される場合や、社用車を１人だけでなく複数人が利用するときに、複数のＥＴＣカードが使用される場合が考えられる。このように１台のＥＴＣ車載器に複数のＥＴＣカードが使用されると、どのＥＴＣカードでいくらの支払い料金が発生したかを確認することが困難である。
【０００９】
複数のカードを使用した後に、各カードの所有者毎に送付される利用料金の請求書を持ち寄って精算することはもちろん可能であるが、精算時期が遅くなり、非効率的である。また、請求書が送付される前に精算する場合は、誰がどれだけＥＴＣカードを利用して支払いをしたかを何らかの手段で記憶しておくことが必要となり、使用者にかかる負担が大きい。
【００１０】
本発明は、かかる従来技術の課題に鑑みなされたものであり、自動料金収受システムを利用する場合において、一台のＥＴＣ車載器で複数のＥＴＣカードを使用したときに、ＥＴＣカード毎の利用履歴を表示することのできるＥＴＣ利用履歴照会装置を提供すること
を目的とする。
【課題を解決するための手段】
【００１１】
上述した従来技術の課題を解決するため、本発明の基本形態によれば、自動料金収受装置とＥＴＣ車載器との間で情報を送受信する自動料金収受システムにおけるＥＴＣ利用履歴照会装置であって、画面上でＥＴＣカードの利用履歴を提供する表示手段と、複数のＥＴＣカードの利用履歴をＥＴＣカード毎の識別情報とともに格納する記憶手段と、情報入力手段と、前記表示手段、記憶手段、ＥＴＣ車載器及び情報入力手段を制御する制御手段とを有し、前記制御手段は、前記情報入力手段の指示に従って前記ＥＴＣ車載器で使用された複数のＥＴＣカードの一覧を前記表示手段の画面に表示し、さらに前記情報入力手段から前記複数のＥＴＣカードの一覧のうち特定のＥＴＣカードの利用履歴を表示する指示がされたとき、前記記憶手段に格納された前記ＥＴＣカードの識別情報及び前記利用履歴を参照して、前記特定のＥＴＣカードの利用履歴を前記表示手段の画面に表示させることを特徴とするＥＴＣ利用履歴照会装置が提供される。
【００１２】
また、上記の形態に係るＥＴＣ利用履歴照会装置において、前記制御手段は、前記情報入力手段から前記複数のＥＴＣカードの一覧のうち特定のＥＴＣカードの利用履歴を表示する指示がされたとき、当該ＥＴＣカードが利用された日付及び支払い料金の一覧を前記表示手段の画面に表示させるようにしてもよく、前記制御手段は、前記情報入力手段から前記特定のＥＴＣカードが利用された日付及び支払い料金の一覧のうち特定の日付の利用履歴を表示する指示がされたとき、当該ＥＴＣカードが利用された施設名、支払い料金及び利用内容を前記表示手段の画面に表示させるようにしてもよい。
【００１３】
本発明においては、自動料金収受システムを利用する場合において、記憶手段に格納されている複数のＥＴＣカードのうちからいずれかのＥＴＣカードの利用履歴を表示する旨の指示を制御手段が検知したとき、そのいずれかのカードが利用された日付、支払い料金や利用施設等の詳細情報を表示画面に表示する。このいずれかのＥＴＣカードは、表示画面に表示されたすべてのＥＴＣカードの一覧から選択する。いずれかのＥＴＣカードを選択することにより、そのＥＴＣカードが利用された日付及び自動料金収受システムを利用して発生した支払い料金を表示する利用日一覧が表示される。さらに、利用日一覧から日付を選択すると、その日に利用された施設名、支払い料金及び利用内容が画面に表示される。
【００１４】
このように、本発明のＥＴＣ利用履歴照会装置によれば、ＥＴＣカード毎に自動料金収受システムを利用した日付、施設及び支払い料金を表示することができる。従って、１台のＥＴＣ車載器で複数のＥＴＣカードを使用した場合であっても、どのＥＴＣカードでいくらの支払い料金が発生したかを確認することが容易になり、カード会社から送られてくる請求書を待つことなく精算処理をすることができ、ユーザの利便性が向上する。
【００１５】
また、本発明の他の形態によれば、ＥＴＣ車載器と、表示手段と、複数のＥＴＣカードの利用履歴をＥＴＣカード毎の識別情報とともに格納する記憶手段と、情報入力手段と、前記ＥＴＣ車載器、表示手段、記憶手段及び情報入力手段を制御する制御手段とを有するＥＴＣ利用履歴照会装置において、前記情報入力手段からＥＴＣカードの利用履歴を表示する指示がされたとき、前記ＥＴＣ車載器で使用された複数のＥＴＣカードの一覧を前記表示手段の画面に表示し、前記情報入力手段から前記複数のＥＴＣカードの一覧のうち特定のＥＴＣカードの利用履歴を表示する指示がされたとき、前記記憶手段に格納された前記ＥＴＣカードの識別情報及び前記利用履歴を参照して、当該ＥＴＣカードが利用された日付及び支払い料金の一覧を前記表示手段の画面に表示し、前記情報入力手段から前記ＥＴＣカードが利用された日付及び支払い料金の一覧のうち特定の日付の利用履歴を表示する指示がされたとき、前記記憶手段に格納された前記ＥＴＣカードの識別情報及び前記利用履歴を参照して、当該ＥＴＣカードが利用された施設名、支払い料金及び利用内容を前記表示手段の画面に表示することを特徴とするＥＴＣ利用履歴表示方法が提供される。
【発明を実施するための最良の形態】
【００１６】
以下、本発明の実施形態について、添付の図面を参照して説明する。
【００１７】
なお、本実施形態では、ＥＴＣ利用履歴照会装置をナビゲーション装置に適応する場合について説明する。
【００１８】
（車載用ナビゲーション装置の構成）
図１は本発明の実施形態の車載用ナビゲーション装置４０の構成を示すブロック図である。
【００１９】
１は地図データが記憶されている記憶媒体である。本実施形態では、地図データを記憶する記憶媒体としてＤＶＤ（ＤＶＤ−ＲＯＭ）を使用しているが、ハードディスク又はその他の記憶媒体を使用してもよい。３はナビゲーション装置本体１０を操作するための操作ボタン等が設けられた操作部である。
【００２０】
４はＶＩＣＳ（Vehicle Information and Communication System：道路交通情報通信システム）情報を受信するＶＩＣＳ受信機、５はＧＰＳ衛星から送られてくるＧＰＳ信号を受信して車両の現在位置の経度及び緯度を検出するＧＰＳ受信機である。６は自立航法センサであり、この自立航法センサ６は、車両回転角度を検出するジャイロ等の角度センサ６ａと、一定の走行距離毎にパルスを発生する走行距離センサ６ｂとにより構成されている。７は液晶パネル等の表示装置であり、ナビゲーション装置本体１０は、この表示装置７に車両の現在位置の周囲の地図を表示したり、出発地から目的地までの誘導経路や車両マーク及びその他の案内情報を表示する。８は音声によりユーザに案内情報を提供するためのスピーカーである。
【００２１】
ナビゲーション装置本体１０は以下のものから構成されている。１１はＤＶＤ１からの地図データの読み取りを制御するＤＶＤコントローラである。１２はＤＶＤ１から読み出した地図データを一時的に記憶するバッファメモリである。
【００２２】
１７はマイクロコンピュータにより構成される制御部である。制御部１７は、ＧＰＳ受信機５及び自立航法センサ６から入力される情報を基に車両の現在位置を検出したり、ＤＶＤコントローラ１１を介してＤＶＤ１から所定の地図データをバッファメモリ１２に読み出したり、バッファメモリ１２に読み出された地図データを用いて設定された探索条件で出発地から目的地までの誘導経路を探索するなど、種々の処理を実行する。
【００２３】
１８はバッファメモリ１２に読み出された地図データを用いて地図画像を生成する地図描画部、１９は動作状況に応じた各種メニュー画面（操作画面）や車両位置マーク及びカーソル等の各種マークを生成する操作画面・マーク発生部である。
【００２４】
２０は制御部１７で探索した誘導経路を記憶する誘導経路記憶部、２１は誘導経路を描画する誘導経路描画部である。誘導経路記憶部２０には、制御部１７によって探索された誘導経路の全ノードが出発地から目的地まで記憶される。誘導経路描画部２１は、地図を表示する際に、誘導経路記憶部２０から誘導経路情報（ノード列）を読み出して、誘導経路を他の道路とは異なる色及び線幅で描画する。
【００２５】
２２は音声出力部であり、制御部１７からの信号に基づいて音声信号をスピーカー８に供給する。
【００２６】
２４は画像合成部であり、地図描画部１８で描画された地図画像に、操作画面・マーク発生部１９で生成した各種マークや操作画面、誘導経路描画部２１で描画した誘導経路などを重ね合わせて表示装置７に表示させる。
【００２７】
２６はＥＴＣ情報記憶部であり、ＥＴＣ車載器５０から送られてくる、ＥＴＣカードがＥＴＣ車載器５０に挿入されているか否かの情報が記録される。また、自動料金収受システムを利用して発生する支払い料金等の情報が、ＥＴＣカード毎に記録される。
【００２８】
（ＥＴＣ車載器の構成）
図２はＥＴＣ車載器５０の構成を示すブロック図である。このＥＴＣ車載器５０は、道路側アンテナ（不図示）と無線通信を行う車載器側アンテナ５１と、無線通信の制御を行う無線部５２と、ＥＴＣ車載器５０の全体の制御を行うＥＴＣ車載器制御部５３と、ＥＴＣカード５５（ＩＣカード）への読み書きを行うＩＣカードリーダ／ライタ５４と、外部機器と接続するための外部インタフェース５６、及び表示部５７とから構成される。外部インタフェース５６は車載用ナビゲーション装置４０の制御部１７に接続される。
【００２９】
ＥＴＣカードは、カードに内蔵された半導体メモリと演算部などを有する。半導体メモリには、カードＩＤ番号等のカード個別情報、プリペイド残額情報、利用履歴情報等の情報がカード情報として記憶されている。利用履歴情報には、ＥＴＣシステムの利用日、支払い料金等が含まれる。
【００３０】
ＥＴＣ車載器５０と車載用ナビゲーション装置４０とをケーブル等によって接続し、ＥＴＣ車載器５０からＥＴＣシステムを利用できる料金所等の情報を取得することにより、ＥＴＣシステムと協働するように適応されたＥＴＣ利用履歴照会装置が構成される。
【００３１】
なお、ＥＴＣシステムで用いられている通信技術（ＤＳＲＣ：専用狭帯域通信）は、車載器と路側アンテナの双方向で高速かつ大量の情報交換ができるため、有料道路の料金支払い以外でも活用されるようになっている。例えば、キャッシュレスによる料金決済を行う駐車場ＥＴＣシステムや、ドライブスルーを利用したショッピングなどがある。
【００３２】
このように構成されたＥＴＣ利用履歴照会装置において、車載用ナビゲーション装置４０及びＥＴＣ車載器５０の電源がオンになると、ＥＴＣ車載器５０の情報（例えば、ＥＴＣカード５５がＥＴＣ車載器５０に挿入されているか否かの情報）が車載用ナビゲーション装置４０に通知され、車載用ナビゲーション装置４０はその内容をＥＴＣ情報記憶部２６に格納する。また、ＥＴＣカード５５がＥＴＣ車載器５０に挿入されたとき、又は取り出されたときにも、ＥＴＣ車載器５０から車載用ナビゲーション装置４０へ、その旨が通知され、車載用ナビゲーション装置４０はその内容をＥＴＣ情報記憶部２６に格納する。従って、車載用ナビゲーション装置４０は、ＥＴＣ車載器５０にＥＴＣカード５５が挿入されているか否かを常に把握することができる。
【００３３】
制御部１７は、ＥＴＣ制御部５３から、料金自動収受を行った旨の情報を取得し、ＥＴＣ情報記憶部２６に当該ＥＴＣカードに関する記憶領域にＥＴＣカードが使用された日時、利用情報を記憶する。
【００３４】
また、制御部１７は、操作部から入力された指示情報を基に、ＥＴＣ利用履歴照会処理を行う。
【００３５】
制御部１７は、ＥＴＣ履歴表示を要求する信号を受信すると、ＥＴＣ車載器５０で使用されたＥＴＣカードの一覧を画面に表示する。使用されたＥＴＣカードは、ＥＴＣ情報記憶部２６のＥＴＣカードの識別コード（識別情報）を検索して取得する。
【００３６】
次に、使用したＥＴＣカードの一覧表示から、特定のカードを選択した旨の情報を取得すると、制御部１７は、そのＥＴＣカードの識別コードを検索し、ＥＴＣカードの識別コードに関連づけられてＥＴＣ情報記憶部２６に記憶されている、カードが使用された日付及び支払い料金のデータを取得して、日付及び支払い料金の一覧を画面に表示させる。
【００３７】
さらに、特定の日付が選択されると、制御部１７はそのカードがその日に使用された施設及び利用情報を時系列に表示する。
【００３８】
上記のように構成されたＥＴＣ利用履歴照会装置の動作説明を、図３〜図７のフローチャート及び図８、図９の画面表示例を用いて行う。
【００３９】
まず、図３のフローチャートを用いて、ＥＴＣカードを利用したときの全体の動作について説明する。次に、ＥＴＣカードを有料道路、駐車場、ショッピングに利用した場合について、図４〜図６のフローチャートを用いて説明する。次に、本発明の特徴である、ＥＴＣカードの利用履歴をＥＴＣカード毎に表示する動作について、図７のフローチャート及び図８、図９の画面表示例を用いて説明する。
【００４０】
（ＥＴＣカードを利用したときの全体の動作）
図３は、ＥＴＣカードを識別し、利用情報をカード毎に蓄積する処理のフローチャートである。
【００４１】
まず、ステップＳ１１では、ＥＴＣカード５５がＥＴＣ車載器５０に挿入されているか否かを判定する。判定結果がＹＥＳの場合はステップＳ１３に移行し、判定結果がＮＯの場合はステップＳ１２に移行する。
【００４２】
ＥＴＣカード５５がＥＴＣ車載器５０に挿入されているか否かは次のようにして判定される。ＥＴＣカード５５がＥＴＣ車載器５０に挿入されると、ＥＴＣ車載器５０から車載用ナビゲーション装置４０へ、その旨の情報が送られる。制御部１７はＥＴＣ車載器５０からＥＴＣカード５５の情報が送られてくると、その情報をＥＴＣ情報記憶部２６に格納する。このように、ＥＴＣカード５５がＥＴＣ車載器５０に挿入されているか否かの情報は、ＥＴＣ情報記憶部２６に格納されている。制御部１７は、ＥＴＣ情報記憶部２６に格納されているＥＴＣカード５５に関する情報を取得して、ＥＴＣカード５５がＥＴＣ車載器５０に挿入されているか否かを判断する。
【００４３】
ステップＳ１２では、ＥＴＣ車載器５０にＥＴＣカードが未挿入である旨の通知を行う。例えば、この通知を表示部に表示したり、音声によって知らせる。
【００４４】
次のステップＳ１３では、ＥＴＣ車載器５０に挿入されたＥＴＣカードが登録済みのカードか、つまり過去にこのＥＴＣ車載器５０で使用されたことがあるか否かを判定する。判定結果がＹＥＳの場合は、ステップＳ１５に移行し、判定結果がＮＯの場合はステップＳ１４に移行する。ＥＴＣカードが登録済みか否かは、挿入されたＥＴＣカードの識別コードを抽出して、ＥＴＣ情報記憶部２６に格納されたＥＴＣカードの識別コードに一致する識別コードがあるか否かを検索することによって行う。
【００４５】
ステップＳ１４は、ＥＴＣカードが未登録の場合の処理であり、ＥＴＣカードの登録を行う。ＥＴＣカードの登録は、ＥＴＣカード番号及びＥＴＣカードの所有者を関連付けて、ＥＴＣ情報記憶部２６に格納する。
【００４６】
次のステップＳ１５では、現在使用されているＥＴＣカードの所有者及び識別情報をＥＴＣ情報記憶部２６に記憶する。
【００４７】
このように、ＥＴＣ車載器５０にＥＴＣカードが挿入されると、ＥＴＣが作動し、ＥＴＣ制御部５３はＥＴＣカードに利用情報の書込みを行う。また、制御部１７はＥＴＣが作動したことを判定し、ＥＴＣ情報記憶部２６にＥＴＣカード毎の利用情報の書込みを行う。
【００４８】
ステップＳ１６では、高速道路の入口を通過したか否かを判定する。高速道路の入口を通過した場合は、図８の有料道路通過処理に移行する。高速道路の入口を通過していない場合は、次のステップＳ１７に移行する。
【００４９】
次のステップＳ１７では、ＥＴＣカードを利用できる駐車場に入場したか否かを判定する。この駐車場に入場した場合は、図９のＥＴＣ駐車場利用処理に移行する。ＥＴＣカードを利用できる駐車場に入場していない場合は、ステップＳ１８に移行する。
【００５０】
次のステップＳ１８では、ＥＴＣカードが利用できるＥＴＣショッピングゲートを通過したか否かを判定する。ＥＴＣショッピングゲートを通過したと判定された場合は、図１０のＥＴＣショッピング利用処理に移行する。ＥＴＣショッピングゲートを通過していない場合は、ステップＳ１９に移行する。
【００５１】
次のステップＳ１９では、車両のエンジンが停止したか否かを判定する。すなわち、ＥＴＣカードの使用が終了したか否かを判定する。車両のエンジンが停止した場合は図７のＥＴＣ利用履歴表示処理に移行する。車両のエンジンが停止していない場合は、ステップＳ１１に戻り、ＥＴＣカード識別処理及び利用履歴蓄積処理を継続する。
【００５２】
次に、ＥＴＣカードを、有料道路、駐車場、ショッピングに利用した場合について説明する。
【００５３】
（ＥＴＣカードを有料道路に利用した場合）
図４は、ＥＴＣカードを有料道路に利用した場合の処理を示すフローチャートである。
【００５４】
有料道路通過処理では、まず、ステップＳ３１において、高速道路の入口の名称及び入口を通過したときの時間をＥＴＣ情報記憶部２６に記憶する。高速道路の入口の名称は、ナビゲーションシステムが車両の位置を測位し、この位置と地図データベースを用いて、料金所を検出し、料金所名称を取得する。
【００５５】
次のステップＳ３２では、出口ゲートを通過したか否かを判定する。
【００５６】
出口ゲートを通過するまで待機し、出口ゲートを通過したときは、ステップＳ３３に移行する。
【００５７】
次のステップＳ３３では、出口ゲートの名称、出口ゲートを通過した時間及び料金をＥＴＣ情報記憶部２６に記憶する。出口ゲートの名称は入口ゲートの名称を取得した場合と同様に取得する。高速道路を利用した際に発生する料金は、料金所に設置した道路側アンテナと車両に装着した車載器との間で無線通信により料金情報がやりとりされ、料金支払いが行われる。このとき発生する支払い料金をＥＴＣ情報記憶部２６に記憶する。この情報は、ステップＳ１３で特定されたＥＴＣカードの識別コードに関連づけて格納する。
【００５８】
ＥＴＣ情報記憶部２６に格納するＥＴＣ利用履歴情報のデータは、例えば、ステップＳ１５で認識されたカード固有の識別コードに関連付けて、カードが使用された日付の情報を記憶する。さらに、その日付情報に関連付けて利用した高速道路の入口、出口、及び支払い料金を記憶する。
【００５９】
以上のステップＳ３１からステップＳ３４までが有料道路通過処理であり、この処理が終了した後は、ステップＳ１９に移行する。
【００６０】
（ＥＴＣカードを駐車場に利用した場合）
次に、ＥＴＣカードを駐車場に利用した場合の処理について図５のフローチャートを用いて説明する。
【００６１】
ＥＴＣ駐車場利用処理では、まずステップＳ４１で、駐車場の名称及び駐車場に入庫した時間を記憶する。駐車場の名称は、ナビゲーションシステムが車両の位置を測位し、この位置と地図データベースを利用して、駐車場の名称を取得する。
【００６２】
次のステップＳ４２では、車両のエンジンが停止したか否かを検出する。停止していない場合は待機する。車両のエンジンが停止した場合は、ＥＴＣ情報記憶部２６にＥＴＣ駐車場利用処理の実行中である旨を記録して、処理を一時終了する。
【００６３】
次にエンジンがスタートしたとき（Ｓ４３）、ステップＳ４４において、ＥＴＣカードが挿入されているか否かを判定し、挿入されているときはステップＳ４５に移行し、挿入されていないときは、ステップＳ４６に移行する。
【００６４】
ステップＳ４６では、ＥＴＣ駐車場に入庫したときに使用したＥＴＣカードを挿入する旨の通知をする。この通知は、表示装置に表示してもよいし、音声で通知するようにしても良い。
【００６５】
ステップＳ４５では、挿入されたＥＴＣカードが入庫時のカードか否かを判定する。
入庫時のＥＴＣカードでないと判定されたときは、ステップＳ４６に移行し、入庫時のＥＴＣカードを挿入する旨の通知をする。入庫時に挿入されたＥＴＣカードと判定されたときは、ステップＳ４７に移行する。
【００６６】
次のステップＳ４７では、ＥＴＣ駐車場の出庫ゲートを通過したか否かを判定する。出庫ゲートを通過していないときは待機し、出庫ゲートを通過したときは、ステップＳ４８に移行する。
【００６７】
ステップＳ４８では、出庫時間及び発生した支払い料金をＥＴＣ情報記憶部２６に記憶する。これらの情報は、ＥＴＣカードの識別コードと関連づけて記憶する。
【００６８】
ＥＴＣ情報記憶部２６に格納するＥＴＣ利用履歴情報のデータは、例えば、ステップＳ１５で認識されたカード固有の識別コードに関連付けて、カードが使用された日付の情報を記憶する。さらに、その日付情報に関連付けて、利用したＥＴＣ駐車場の入庫時間、出庫時間、及び支払い料金を記憶する。
【００６９】
以上のステップＳ４１からステップＳ４８までの処理でＥＴＣ駐車場利用処理が終了し、ステップＳ１９に移行する。
【００７０】
（ＥＴＣカードをショッピングに利用した場合）
次に、ＥＴＣカードをショッピングに利用した場合の処理について図６のフローチャートを用いて説明する。
【００７１】
ＥＴＣショッピング利用処理では、まず、ステップＳ５１で店舗の名称及びショッピングゲートを通過した時間をＥＴＣ情報記憶部２６に記憶する。ＥＴＣショッピングにおける店舗は、例えば、ドライブスルーを利用した店舗である。
【００７２】
ステップＳ５２では、ショッピングゲートを通過後、ユーザが商品を購入したことを検知し（Ｓ５２）、ステップＳ５３で購入内容を受信したか否かを判定する。
【００７３】
購入内容が受信されていなければ待機し、購入内容が受信されていれば、ステップＳ５４に移行する。
【００７４】
次のステップＳ５４では、購入内容及び料金を表示部に表示する。
【００７５】
次のステップＳ５５では、購入内容及び料金の支払いを、ＥＴＣカードを利用して行うことを確認する信号を受信したか否かを判断する。確認信号を受信した場合は、ステップＳ５６に移行し、確認信号が受信されないときは、ステップＳ５２に戻り、ＥＴＣショッピング処理を継続する。
【００７６】
次のステップＳ５６では、購入内容及び支払い料金をＥＴＣ情報記憶部２６に記憶する。これらの情報は、ＥＴＣカードの識別コードに関連づけて記憶する。
【００７７】
ＥＴＣ情報記憶部２６に格納するＥＴＣ利用履歴情報のデータは、例えば、ステップＳ１５で認識されたカード固有の識別コードに関連付けて、カードが使用された日付の情報を記憶する。さらに、その日付情報に関連付けて、利用した店舗名称、購入商品、及び支払い料金を記憶する。
【００７８】
以上のステップＳ５１からステップＳ５６までの処理でＥＴＣショッピング処理が終了し、ステップＳ１９に移行する。
【００７９】
（ＥＴＣカードの利用履歴をＥＴＣカード毎に表示する動作）
次に、本発明の特徴である、ＥＴＣカード毎に利用履歴を表示する処理について、図７のフローチャート、及び、図８、図９の画面表示例を用いて説明する。
【００８０】
ステップＳ２０では、車両のエンジンが停止したことを制御部が検知した後、ＥＴＣ利用履歴の表示を行うか否かを問い合わせる。
【００８１】
次のステップＳ２１では、ＥＴＣ利用履歴表示を要求する旨の操作があったか否かを判定する。表示要求があった場合はステップＳ２２に移行し、表示要求がない場合はステップＳ２４に移行する。
【００８２】
ステップＳ２４では、所定時間経過したか否かを判定する。所定時間経過した場合は、本処理を終了し、所定時間経過していなければ、ステップＳ２１に戻り、ＥＴＣ履歴表示の要求があるまで待機する。
【００８３】
ステップＳ２２では、表示要求に応じたＥＴＣ履歴表示処理を行う。ＥＴＣ履歴表示処理は次のようにして行う。ＥＴＣ履歴表示が要求されると、図８（ａ）に示すようなＥＴＣ使用カード履歴が表示部の画面に表示される。
【００８４】
図８（ａ）の表示画面は、使用されたＥＴＣカード及びその所有者の一覧を示す使用カード一覧表示部６１と、使用カードが複数あり、使用カード一覧６１に表示しきれない場合に、画面をスクロールさせる「前」ボタン６２及び「次」ボタン６３が用意されている。使用カード一覧表示部６１の各使用カードには、「詳細」ボタン６４が設けられ、「詳細」ボタン６４を選択することにより、カード固有の履歴情報を図８（ｂ）に示すような別画面で表示する。図８（ａ）の表示画面には、この他に「終了」ボタン６６、「保存」ボタン６７、「削除」ボタン６８、「戻る」ボタン６５が用意されている。「終了」ボタン６６は、ＥＴＣ利用履歴照会を終了するときに選択するボタンである。「保存」ボタン６７は、使用カード一覧表示部６１から選択した使用カードの情報を外部記憶装置に格納するためのボタンである。「削除」ボタン６８は、使用カード一覧表示部６１から選択した使用カードの情報をＥＴＣ情報記憶部２６から削除するためのボタンである。「戻る」ボタン６５は、一画面前に戻るときに選択するボタンである。
【００８５】
この表示画面には、ＥＴＣ情報記憶部２６に格納されたすべてのＥＴＣカードの一覧が使用カード一覧表示部６１に表示される。この使用カード一覧表示部６１に表示された各カード番号に付加された「詳細」ボタン６４を選択すると、図８（ｂ）に示すような、選択したカードの利用履歴が表示される。
【００８６】
図８（ｂ）の表示画面では、ＥＴＣカードを利用した日付及び支払い料金の一覧を示す利用日一覧表示部７１と、利用履歴が複数あり利用日一覧表示部７１に表示しきれない場合に画面をスクロールさせる「前」ボタン７２及び「次」ボタン７３が用意されている。利用日一覧表示部７１の各利用日には、「詳細」ボタン７４が設けられ、「詳細」ボタン７４を選択することにより、料金の内訳等の詳細利用情報を別画面で表示する。
【００８７】
図８（ｂ）の表示画面には、この他に「終了」ボタン７６、「保存」ボタン７７、「削除」ボタン７８、「戻る」ボタン７５が用意されている。「終了」ボタン７６は、履歴照会を終了するときに選択するボタンである。「保存」ボタン７７は、利用日一覧表示部７１から選択した利用日の情報を外部記憶装置に格納するためのボタンである。「削除」ボタン７８は、利用日一覧表示部７１から選択した利用日の情報をＥＴＣ情報記憶部から削除するためのボタンである。図８（ｂ）の表示画面では、現在表示されているＥＴＣ利用履歴の対象となっているＥＴＣカードを特定する識別番号（図８（ｂ）の場合は、ＥＴＣカード番号）をカード識別表示部７９に表示している。
【００８８】
この表示画面には、ＥＴＣ情報記憶部２６に格納された、選択したカードの識別コードに関連づけられたカード毎の利用履歴を基に、利用した日付及び支払い料金が利用日一覧表示部７１に表示される。この利用一覧表示部７１から「２００３年１０月３０日」の「詳細」ボタン７４を選択すると、図９（ｂ）に示す詳細利用情報が表示される。また、利用一覧表示部７１から「２００３年８月３１日」の「詳細」ボタン７４を選択すると、図９（ｃ）に示す詳細利用情報が表示される。
【００８９】
図９（ｂ）の表示画面には、使用カード表示部８４と、利用日及び利用施設表示部８５と、利用内訳表示部８１によって情報が表示される。利用内訳表示部８１に表示しきれない場合に、画面をスクロールして前後の内訳を表示させる、「前」ボタン８２及び「次」ボタン８３が用意されている。利用内訳表示部８１は、支払い料金の合計額、及び、利用項目ごとの支払い料金が表示される。
【００９０】
また、「終了」ボタン８６は、ＥＴＣ利用履歴照会を終了するときに選択するボタンである。「保存」ボタン８７は、表示している日付の利用情報を外部記憶装置に保存するときに選択するボタンである。「削除」ボタン８８は、表示している日付の利用情報をＥＴＣ情報記憶部から削除するときに選択するボタンである。
【００９１】
図９（ｃ）は、利用施設がＥＴＣ駐車場の場合の詳細情報の一例を示している。画面の表示構成は、図９（ｂ）の表示構成と同様である。
【００９２】
ステップＳ２３では、履歴表示の終了を要求する操作が有ったか否かを判定する。履歴表示の終了を要求する操作は、例えば、図９（ｂ）の表示画面において、「終了」ボタン８６が選択された場合である。表示終了の要求があったと判定された場合は、本処理を終了し、表示終了の要求がないと判定された場合は、ステップＳ２２に戻り、ユーザの表示要求に応じたＥＴＣ利用履歴の表示を継続する。
【００９３】
以上説明したように、本実施形態に係るＥＴＣ利用履歴照会装置では、自動料金収受システムを利用したとき、使用されたＥＴＣカードに関連づけて、利用した日付、施設名及び支払い料金を記憶している。そして、記憶手段に格納されている複数のＥＴＣカードから特定のＥＴＣカードの利用履歴を表示する旨の指示を制御手段が検知したとき、その特定のカードが利用された日付、支払い料金や利用施設等の詳細情報を表示画面に表示する。この特定のＥＴＣカードは、表示画面に表示されたすべてのＥＴＣカードの一覧から選択する。特定のＥＴＣカードを選択することにより、そのＥＴＣカードが利用された日付及び自動料金収受システムを利用して発生した支払い料金を表示する利用日一覧が表示される。さらに、利用日一覧から日付を選択すると、その日に利用された施設名、支払い料金及び利用内容が画面に表示される。
【００９４】
このように、本ＥＴＣ利用履歴照会処理によれば、ＥＴＣカード毎に自動料金収受システムを利用した日付、施設及び支払い料金を表示することができる。従って、１台のＥＴＣ車載器で複数のＥＴＣカードを使用した場合であっても、どのＥＴＣカードでいくらの支払い料金が発生したかを確認することが容易になり、カード会社から送られてくる請求書を待つことなく精算処理をすることができ、ユーザの利便性が向上する。
【００９５】
なお、ＥＴＣ情報記憶部２６に格納したＥＴＣカード毎の履歴情報を外部の記憶装置、例えば、ハードディスクや、ＳＤカード等に転送するようにしてもよい。これにより、ＥＴＣカード毎の履歴情報を個人的に管理することができ、請求書が送付される前に精算処理に利用することもでき、ＥＴＣカードを利用したときの利便性が向上する。
【００９６】
また、本実施形態では、ＥＴＣ利用履歴照会装置をナビゲーション装置に適用した場合を例として説明したが、これに限らず、例えば、ナビゲーション機能を含むオーディオ機器に適用することも可能である。
【００９７】
また、本実施形態では、ＥＴＣ利用履歴表示画面として、使用ＥＴＣカードの一覧及び及び所有者の情報を表示する例を示したが、これに限らず、図１０に示すように、使用日、カード所有者、支払い料金を時系列に表示するようにしてもよい。図１０は、高速道路を利用した場合の例であり、ＥＴＣカードを利用した履歴をすべてのＥＴＣカードについて時系列に表示している。
【００９８】
また、本実施形態では、エンジンが停止した後にＥＴＣカード利用履歴を表示する場合について説明したが、これに限らず、ユーザの指示により、車両走行中にＥＴＣ利用履歴を表示させるようにすることも可能である。
【図面の簡単な説明】
【００９９】
【図１】本発明の一実施形態に係る車載用ナビゲーション装置の構成を示すブロック図である。
【図２】本発明の一実施形態に係るＥＴＣ車載器の構成を示すブロック図である。
【図３】利用履歴表示処理を説明するフローチャート（その１）である。
【図４】利用履歴表示処理を説明するフローチャート（その２）である。
【図５】利用履歴表示処理を説明するフローチャート（その３）である。
【図６】利用履歴表示処理を説明するフローチャート（その４）である。
【図７】利用履歴表示処理を説明するフローチャート（その５）である。
【図８】図８（ａ）、図８（ｂ）は、ＥＴＣカード利用履歴を表示する画面表示の一例を示す図（その１）である。
【図９】図９（ａ）〜図９（ｃ）は、ＥＴＣカード利用履歴を表示する画面表示の一例を示す図（その２）である。
【図１０】ＥＴＣカード利用履歴を表示する画面表示の一例を示す図（その３）である。
【符号の説明】
【０１００】
１… ＤＶＤ、
３…操作部、
４…ＶＩＣＳ受信機、
５…ＧＰＳ受信機、
６…自立航法センサ、
７…表示装置、
８…スピーカー、
１０…ナビゲーション装置本体、
１７…制御部、
２６…ＥＴＣ情報記憶部、
４０…車載用ナビゲーション装置、
５０…ＥＴＣ車載器、
５１…ＥＴＣ車載器側アンテナ、
５２…無線部、
５３…ＥＴＣ車載器制御部、
５４…ＩＣカードリーダ／ライタ、
５５…ＥＴＣカード、
６０…外部記憶装置、
６１…使用カード一覧表示部、
７１…利用日一覧表示部、
８１，９１…利用内訳表示部。
【図１】
2008033402.tif 000003
【図２】
2008033402.tif 000004
【図３】
2008033402.tif 000005
【図４】
2008033402.tif 000006
【図５】
2008033402.tif 000007
【図６】
2008033402.tif 000008
【図７】
2008033402.tif 000009
【図８】
2008033402.tif 000010
【図９】
2008033402.tif 000011
【図１０】
2008033402.tif 000012